(57)【要約】【課題】本発明は、使用者の頚部を主枕で支え、頭部を副枕で支えて使用することにより、使用者が自己の好みに応じて様々な使用形態を採用するよって、楽に就寝でき、血行が良くなる健康的な自然な就寝姿勢をとることができる上、後頭部辺りが接する枕の部分に隙間を生じさせることができるので、通気性が著しく向上し、頚部や頭部の蒸れや汗の滞留を防止して就寝中の不快感を解消し、夏期において頚部や頭部及びその近傍を適度に冷却して、快適な睡眠をもたらすことができる機能性枕を提供することを目的とする。また、横向きに寝る時、主枕に副枕を載せる。そうすると、上向きで寝る時の枕の高さの２倍近くになるので、従来の枕に比べ、肩にかかる負担を大いに減らすことができる。【解決手段】主として使用者の頚部を支えるための主枕と、主として使用者の頭部を支えるための副枕とからなることを特徴とする。また、この２つは、紐通しの部分と、紐で連結する。【選択図】図１３
2005058698.tif 000002
【特許請求の範囲】
【請求項１】
主として使用者の頚部を支えるための主枕と、主として使用者の頭部を支えるための副枕とからなることを特徴とする機能性枕。
【請求項２】
主枕と副枕の並設が、主枕と副枕との枕カバーを介して行われる機能性枕。
【請求項３】
枕カバーの一部に縫い付けられた紐とおしの部分と紐によって、主枕と副枕が連結される機能性枕。
【請求項４】
主枕及び副枕の充填材が、短筒形状を有する小塊状樹脂成形体、綿、ソバ殻、スポンジ、羽毛、木炭粒又は桧チップから選ばれた少なくとも１種以上が用いられてなる請求項１ないし３のいずれか１項に記載の機能性枕。
【発明の詳細な説明】
【発明の詳細な説明】
【技術分野】
【０００１】  本発明は、使用時における通気性を高めて、頭の蒸れゆ汗の滞留が生じるのを防止し、特に、夏期において頭を適度に冷却して、快適な睡眠をもたらすことができる機能性枕に関する。
【背景技術】
【０００２】  人は、平均して１日の４分の１から３分の１は睡眠して身体と脳更に精神の休息を行っている。このため、寝具の果たす役割は極めて重要である。【０００３】  この寝具の１つである枕は、使用者の頭部を自然な姿勢に支えるためにあり、枕が低すぎると頭部の血流が鬱積して寝心地が悪くなり、枕が高すぎると寝心地が悪く、首筋を痛める場合がある。また、枕は、高さだけでなく、その素材や形状の違いにより、通気性、吸汗性、肌触り、硬さなどが異なり、これらは快適な睡眠をもたらすための重要な要素であり、素材や形状の違いは、生活の洋風化に伴って、多様化してきている。【０００４】  従来における枕の種類を大別すると、内部にソバ殻等が詰められた和風の枕と、内部にスポンジや羽毛等が詰められた大きい洋風の枕と、これら中間に位置する枕などに分けることができる。この他、竹片や籐片等を編んで作った通気性の高い夏用の枕も見られる。【０００５】  和風の枕は、内部にソバ殻が略ぎっしりと詰まっているために、使用者の頭部が沈まない適度な硬さと安定感があり、しかも、使用者の後首や頭部に心地よい適度の押圧感があることから、年齢を問わず多くの人に好まれている。これに対して洋風の枕は、後首や頭を含めた身体の上半身を軟らかな弾力をもって支え、ベッドに適していることから、特に若い人に好まれている。
【発明が解決しようとする課題】
【０００６】  しかしながら、上述した和風の枕は、内部に詰められているソバ殻自体に吸湿性（吸汗性）が乏しく、しかも、殻の小さなソバ殻が大量に詰まっているために通気性に欠け、又、使用者の後頭部が広範にわたって枕に接する。このため、使用者の後頭部の体温や汗が発散し難くなり、特に梅雨や夏の季節になると、頭が蒸れ、汗跡によるベト付き感が残って、寝苦しくなり、翌朝に不快感が残ることがあった。一方、この和風の枕において、内部に詰められているソバ殻の量を減らしても、当該ソバ殻自体に吸湿性（吸汗性）が乏しく、しかも、頚部や後頭部によってソバ殻が押圧、圧縮されてソバ殻が詰まるので通気性に欠ける上、枕の高さが低くなってその機能を充分に発揮することができず、快適な睡眠が得られないのである。
【０００７】  また、上述した洋風の枕は、内部に羽毛やスポンジが詰められているために、使用者の頭が深く沈み、このため、長年弾力の無い和風の枕に慣れ親しんできた人にとっては、不安定感があり、心地よい睡眠が得られ難い。これに対して、ベッドに慣れ親しんでいる人にとってはこのような不安定感はさほど感じないが、このような大きな柔軟性のある枕を用いて寝ると、就寝しているときの姿勢が悪くなり、また、和風の枕よりもさらに広範にわたって後頭部が枕に接し、例えば、夏の就寝時において、頭の広い部分で熱がこもったり、汗をかいたりするなど、頭が蒸れ易く、快適な睡眠と翌朝の爽快感が得られなかった。また、このように頭が深く沈む枕は、好ましい就寝姿勢をとるのが困難であり、また、頭に押圧感が無いため、頭に不安定感があり、押圧による頭部のマッサージ効果が得られないなどの問題がある。
【０００８】  更に、上述した和風の枕と洋風の枕の中間に位置する枕の場合も同様に、後頭部が広範にわたって枕に接するため、上述した枕と同様に、快適な睡眠が得られないなどの問題がある。
【０００９】  これらに対して、上述した竹片や籐片を編んで作った夏用の枕は、通気性が極めて良く、また、頭部に適度の押圧感とマッサージ効果が得られるという利点がある反面、髪の毛を傷め易く、翌朝、顔に枕の編み跡が残り易かった。また、枕が硬く、常に一定の形状を維持しているために、頭が枕に馴染み難く、後首筋を痛めたり、寝返りをしたときに枕が頭から外れ易くなるなどの問題がある。
【００１０】  本発明者は、従前枕の前述の各種課題を解消すべく鋭意、検討を重ねてきた。その結果、遂にこれらの課題を解消する新規な枕を完成するに至ったものである。
【００１１】  本発明は、使用者の頚部を主枕で支え、頭部を副枕で支えて使用することにより、使用者が自己の好みに応じて様々な使用形態を採用するよって、楽に就寝でき、血行が良くなる健康的な自然な就寝姿勢をとることができる上、後頭部辺りが接する枕の部分に隙間を生じさせることができるので、通気性が著しく向上し、頚部や頭部の蒸れや汗の滞留を防止して就寝中の不快感を解消し、夏期において頚部や頭部及びその近傍を適度に冷却して、快適な睡眠をもたらすことができる機能性枕を提供することを目的とする。
【課題を解決するための手段】
【００１２】  前記目的を達成するために、本発明に係る機能性枕においては、主として使用者の頚部を支えるための主枕と、主として使用者の頭部を支える副枕からなることを特徴とするものである。
【００１３】  まず、主枕について述べると、この主枕は主として使用者の頚部、即ち、肩上辺りから後頭部隆起位置辺りまでを支えるためのものであることから、この主枕において、その奥行き、つまり前後幅は使用者の後首の長さ程度ないしそれより若干長い程度が好ましく、又、左右幅は使用者が枕として使用できる長さ、例えば、使用者の肩幅程度の長さが好ましく、更に、その高さは、使用者が心地よく枕として使用できる従来の枕と同程度の高さを有するものが好ましい。
【００１４】  しかしながら、枕を使用する者の体格は子供、大人、老人、男性又は女性等の違いがあり、又、その好みも異なるため、前記主枕の奥行き（前後幅）、左右幅及び高さは、特に限定されるものではなく、種々の種類のものを挙げることができるのであり、使用者はその中からそれぞれの体格や好みに合わせて適宜選択し得るようにすれば良いのである。
【００１５】  そして、この主枕内には、枕用充填材が充填されるが、この枕用充填材としては、使用者の好みに応じて適宜選択されるべきものであり、特に限定されるものではないが、一般的には、従来公知の枕用充填材を用いられるのであり、具体的には、例えば小塊状樹脂成形体、ソバ殻、スポンジ小片、羽毛、綿、羽毛、布切れ、木炭粒又は桧チップ等から選ばれた１又は複数種を併用することができる。
【００１６】  次に副枕について述べると、この副枕は、主として使用者の後頭部を支えるためのものであり、その奥行き（前後幅）や左右方向の長さ及び高さについては、やはり使用者の体格や好みに応じて適宜選択されるべきものであり、特に限定されるものではないが、一般的には、奥行きについては、主枕と同じ幅若しくはそれよりも若干短い幅とするのが好ましく、又、左右方向の長さについては、主枕の左右長さと同じものが好ましく、更に、その高さについては、主枕と略同じかあるいは若干低いものが好ましい。
【００１７】  そして、この副枕内にも前記枕用充填材が充填されるのであるが、主枕に充填される枕用充填材と同じものを使用しても、異なるものを使用しても良いのであり、使用者の好みに応じた枕用充填材、例えば小塊状樹脂成形体、ソバ殻、スポンジ小片、羽毛、綿、羽毛、布切れ、木炭粒又は桧チップ等から選ばれた１又は複数種を併用することができる。
【００１８】  このように、本発明の機能性枕においては、主枕及び副枕の中に枕用充填材を充填したものであるが、本発明においては、枕用充填材として、短筒形状を有する小塊状樹脂成形体を用いると、就寝中での枕の変形を極力抑制できるうえ、主枕及び副枕自体も通気性の高いものなり、このため、使用者の頭部が蒸れ難くなり、快適な程度に頭を冷却することができるのである。
【００１９】  また、本発明においては、これら主枕及び副枕においては、上述した枕用充填材を取り出して、枕生地や枕用充填材を洗濯したり交換できるように、主枕の枕生地は、袋状の片側の体に近い長い部分が開閉できるようにし、副枕の枕生地は、袋状の片側の後頭部から離れた長い部分に    ファスナーを取り付けて、開閉できるようにしたものを用いるのが望ましい。
【００２０】  本発明において、主枕及び副枕の内部にどの程度の量の枕用充填材が詰められているか、つまり、枕の硬さについては、特に限定しないが、使用者の後首や頭部を載せたときに、頭部の安定性が確保され、しかも、頭部が深く沈まない程度に、枕用充填材が詰められたものが望ましい。
【００２１】  そして、本発明の機能性枕は、このように主枕と副枕を別体として組み合せたものであるため、主枕で使用者の頚部を支え、副枕で後頭部を支えることができるようになる。このため、呼吸がし易く、血行が良くなり、首の凝りをほぐして疲れ難く健康的な就寝姿勢を自然にとることができるようになる。
【００２２】  又、主枕と副枕とを別体として組み合せることにより、主枕と副枕との間には、通気性を確保する隙間を形成することができる結果、使用者の頭部の中央部分辺りに接する部位の通気性を高めて、使用者の後頭部や後首更にその近傍の蒸れを防ぎ、発汗したときでも汗を効率良く蒸散させて枕が湿気るのを防ぎ、夏期において、後頭部や後首更にその近傍を適度に冷やして快適な睡眠をもたらすことができる。
【００２３】  なお、この隙間は、主枕と副枕との接する部分の一部を少し離すことによって形成される奥行き（前後）方向の隙間と、主枕と副枕があることによって形成される左右の隙間とがある。
【００２４】  前者の隙間は、使用者の頭部がこの隙間の間に深く沈まない程度の大きさに調節すればよく、一方、後者の隙間は、使用者がこの機能性枕を使用して寝たときに、使用者の後首と後頭部の境目付近と主枕と副枕との間に形成される隙間であり、主枕と副枕の高さに違いがあると更に明確に形成される。
【００２５】  又、本発明においては、主枕及び副枕に使用者の首及び頭部による重みが加わり、主枕及び／又は副枕の一部が変形することによって、隙間が生ずるようにすることもできるのである。
【００２６】  つまり、この隙間は、主枕と副枕に対して、使用者の後首と頭部による重みが加わったときに、その重みによって主枕と副枕の形状が変形して、主枕と副枕が接していた部分が開くことによって形成される主として上下方向の隙間であり、この隙間が使用者の頭部の蒸れを防ぎ、発汗したときでも汗を効率良く蒸散させて枕が湿気るのを防ぎ、後頭部を適度に冷やして快適な睡眠をもたらすのである。
【００２７】  そして、本発明の機能性枕においては、これら隙間の種類や大きさ等を使用者自身が選択、決定することができるのであり、使用者の好みや、あらゆる季節の使用に対応した枕とすることができるのである。
【００２８】  更に、このように構成すると、所望により、主枕と副枕とを別々に離して、主枕だけ又は副枕だけを首枕として使用することができるのであり、また、切り離した副枕を肩甲骨の間や腰の下に置いて、指圧効果により凝りをほぐすという使い方もできるようになるのである。
【００２９】  本発明の機能性枕においては、主枕と副枕とを並設して使用されるが、このようにして使用した場合にあっても、使用者の後ろ首や頭部の重みが主枕と副枕に加わることによって、主枕と副枕とは適度に変形してその間に隙間が形成される
【００３０】  主枕と副枕との並連形態としては、主枕と副枕とを枕カバーを介して行う
この場合にあっては、主枕と副枕とを収納、並設するための枕カバーで行われていると、その中に入れてある主枕と副枕とを取り出して、汚れた枕カバーだけを洗うことができる。つまり、一番汚れ易い枕カバーだけを洗濯することができる。
【００３１】  この結果、本発明の機能性枕を常に衛生的な状態で使うことができるので、使用感も向上するのである。  また、本発明においては、これら主枕及び副枕においては、上述した枕用充填材を取り出して、枕生地や枕用充填材を洗濯したり交換できるように、主枕の枕生地は、袋状の片側の体に近い長い部分が開閉できるようにし、副枕の枕生地は、袋状の片側の後頭部から離れた長い部分に    ファスナーを取り付けて、開閉できるようにしたものを用いるのが望ましい。
【発明を実施するための最良の形態】
【００３２】次に、本発明の機能性枕の具体的な実施の形態を添付図面に沿って詳述するが本発明はこれに限定されるものではない。【００３３】  図１は本発明の第１実施形態による機能性枕の主枕と副枕とを分離した状態で示す平面図、図２及び図３は同じく底面図及び側面図、図４は斜視図、図５は主枕と副枕の内部を取り出して示す斜視図である。【００３４】  これら、各図に示すように、本発明の第１実施形態による機能性枕（以下、第１実施形態の機能性枕と略称する。）１Ａは、主枕２と、副枕５０と、これらを連設するための主枕の枕カバーと、副枕の枕カバーと、紐とおしの部分と、紐とによって、構成されている。【００３５】  主枕の枕カバーと、副枕の枕カバーに縫い付けられた紐とおしの部分に紐をとおし、最後に紐を結ぶことにより、主枕と副枕は、連結される。【００３６】  まず、主枕の紐とおしの部分に、紐とおしで紐をとおし、次にその紐を、副枕の紐とおしの部分に通し、次に、向きを変えて、主枕の紐とおしに紐を通し、紐をクロスして、副枕の残りの部分に紐を通す。最後に、紐を結んで２つの枕を連結できる。【００３７】  このようにして、主枕と副枕を連結して、並設すると、図１３に示す第１実施形態の機能性枕１Ａになり、図１３はこの機能性枕１Ａを斜め上方から見た状態を示す斜視図である。【００３８】  このような形状を有する第１実施形態の機能性枕１Ａは、図１２に示すように、主枕２で使用者の頚部を支え、副枕５０で使用者の後頭部を支えるようにして使用される。【００３９】  このように使用すると、図１３及び図１４に示すように、使用者の後首と後頭部が載っていた部分が凹む方向に変形し、この変形によって主枕２と副枕５０の間の部分に、上下方向と左右方向の隙間Ｓが形成されると共に左右長手方向（主枕２と副枕５０との境界部）に隙間が形成されることによって、使用者の後頭部や頚部の辺りの通気性を向上させて、頭部の蒸れや汗の滞留を防ぎ、特に、夏期において頭を適度に冷却することができる結果、快適な睡眠が得られるのである。【００４０】  なお、この第１実施形態の機能性枕１Ａは、上述した利用の仕方の他に、図１５に示すように、主枕２単体だけを用いて、首枕として使用することも可能である。【００４１】  また、図１６、図１７及び図１８に示すように、第１実施形態の機能性枕１Ａを、副枕５０を主枕２の上に傾けた姿勢で載せて使用することができる。このように構成すると、高い枕が好みの人及び後首が凝った人にも好感をもって受け入れられ、しかも使用者の口頭部を適度に冷却することができるのであり、また、使用者の後ろ首辺りに接する部分にも左右方向の隙間Ｓが形成されるので、この部分も適度に冷却することができるようになる。また、横向きに寝る時は、主枕の上に副枕を載せて、肩をより自然な状態で寝ることができる。
【発明の効果】
【００４２】  以上において説明した本発明に係る機能性枕によれば、次のような効果を奏するのである。
本発明に係る機能性枕においては、まず第１に、使用者の頚部を主枕で支え、頭部辺りを副枕で支えて使用することができる等、使用者が自己の好みに応じて様々な使用形態を採用することにより、使用者にとって、楽な就寝ができる上、血行が良くなったり、指圧的効果も得られるので、健康的で、しかも自然な就寝姿勢をとることができる。
【００４３】  また、本発明に係る機能性枕においては、主枕と副枕との間において、使用者の後頭部や頚部の辺りが接する部分に隙間を設けてこの部分の通気性を著しく高めることができるようになる。この結果、頭部の蒸れや汗の滞留を防止して就寝中の不快感を解消し、特に、夏期において頚部や頭部及びその近傍を適度に冷却して、快適な睡眠が得られるなどの効果が得られるのである。
【００４４】  しかも、本発明の機能性枕においては、主枕と副枕に分離しているので、使用者が自己の好みに応じて、副枕を主枕の上に載せて使用することができる結果、高い枕が好みの人及び後首が凝った人にも好感をもって受け入れられるなどの効果を奏するのである。また、横向きに寝る時は、主枕の上に副枕を載せて、肩がより自然な状態で寝ることができる。
【００４５】  更に、本発明の機能性枕においては、主枕から副枕を取り外して、主枕だけで首枕として使用し、また、副枕を使用者の肩甲骨の間や腰の下に置いて、これらの部分の凝りや張りをほぐすような使用も可能であるなどの効果を奏するのである。
【００４６】  また更に、本発明の機能性枕においては、この機能性枕内の枕充填材として、短筒形状を有する小塊状樹脂成形体を用いることによって、使用者の頭部を蒸れを更に防いで、汗の滞留を一層抑え、更に快適な睡眠が得られる上、この充填材は洗浄が可能で、極めて衛生的に使用できるなどの効果な奏するのである。
【００４７】  加えて、本発明の機能性枕においては、枕用充填材として木炭粒を用いると、木炭粒が有する多孔質構造により、不快な臭いを吸着したり、微生物やダニなどの発生を防ぎ、木炭が有する遠赤外線効果により、冬には適度に頭部を暖めることができるようにしたり、また、枕用充墺材として桧（ヒノキ）のチップを用いると、桧に含まれている成分の発散による森林浴効果を睡眠中にもたらして、心をリラックスさせ、一層安らかな睡眠が得られるなどの効果を奏するのである。
【図面の簡単な説明】
【図１】  図１は、本発明の第１実施形態に係る機能性枕において主枕と副枕とを分離した状態で示す平面図である。
【図２】  図２は、同じくその底面図である。
【図３】  図３は、同じくその側面図である。
【図４】  図４は、同じくその斜視図である。
【図５】  図５は、同じくその主枕と副枕の内部を取り出して示す斜視図である。
【図６】  図６は、同じくその主枕に副枕を並設する手順の第１工程を斜め下から見た状態を示す斜視図である。
【図７】  図７は、同じくその主枕に副枕を並設する手順の第２工程を斜め下から見た状態を示す斜視図である。
【図８】  図８は、同じくその主枕に副枕を並設する手順の第３工程を斜め下から見た状態を示す斜視図である。
【図９】  図９は、同じくその主枕に副枕を並設する手順の第４工程を斜め下から見た状態を示す斜視図である。
【図１０】  図１０は、同じくその主枕に副枕を並設する手順の第５工程を斜め下から見た状態を示す斜視図である。
【図１１】  図１１は、同じくその主枕に副枕を並設する手順の第６工程を斜め下から見た状態を示す斜視図である。
【図１２】  図１２は、本発明の第１実施形態の機能性枕を使用している状態を示す斜視図である。
【図１３】  図１３は、本発明の第１実施形態の機能性枕を使用するときの形状を示す斜視図である。
【図１４】  図１４は、本発明の第１実施形態の機能性枕を使用している状態を簡略して示す側面断面図である。
【図１５】  図１５は、本発明の第１実施形態の機能性枕のうちの主枕を使用している状態を簡略して示す側面断面図である。
【図１６】  図１６は、主枕上に副枕を横向きに寝るように載置した状態で示す斜視図である。
【図１７】  図１７は、図１６の枕を反対側から見た図である。
【図１８】  図１８は、本発明の他の実施形態の機能性枕示す側面断面図である。
【図１９】  図１９は、本発明の他の実施形態の機能性枕を示す側面断面図である。
【符号の説明】
１Ａ      機能性枕
２        主枕
３        枕カバー
４        主枕本体
５        紐とおしの部分
６        紐
７        ファスナー
８        開口
５０      副枕
５１      枕カバー
５２      副枕本体
５３      ファスナー
５４      開口
Ｓ        隙間
【図１】
2005058698.tif 000003
【図２】
2005058698.tif 000004
【図３】
2005058698.tif 000005
【図４】
2005058698.tif 000006
【図５】
2005058698.tif 000007
【図６】
2005058698.tif 000008
【図７】
2005058698.tif 000009
【図８】
2005058698.tif 000010
【図９】
2005058698.tif 000011
【図１０】
2005058698.tif 000012
【図１１】
2005058698.tif 000013
【図１２】
2005058698.tif 000014
【図１３】
2005058698.tif 000015
【図１４】
2005058698.tif 000016
【図１５】
2005058698.tif 000017
【図１６】
2005058698.tif 000018
【図１７】
2005058698.tif 000019
【図１８】
2005058698.tif 000020
【図１９】
2005058698.tif 000021
【手続補正書】
【提出日】平成15年9月26日(2003.9.26)
【手続補正１】
【補正対象書類名】明細書
【補正対象項目名】発明の名称
【補正方法】変更
【補正の内容】
【発明の名称】  蒸れにくく、横向きに寝る時、高さが２倍近くにできる機能性枕
【手続補正２】
【補正対象書類名】図面
【補正対象項目名】図１３
【補正方法】変更
【補正の内容】
【図１３】
2005058698.tif 000022
【手続補正書】
【提出日】平成15年10月29日(2003.10.29)
【手続補正１】
【補正対象書類名】特許請求の範囲
【補正対象項目名】全文
【補正方法】変更
【補正の内容】
【書類名】      特許請求の範囲【請求項１】使用者の頚部を支えるための主枕と頭部を支える副枕とからなり、主枕と副枕の併設が、２つの枕カバーを介して行われ、２つの枕カバーに縫い付けられた、紐通しの部分と、紐とによって、主枕と副枕が連結される機能性枕。なお、主枕と副枕の充填材は、短筒形状を有する小塊状樹脂成形体、綿、ソバ殻、スポンジ、羽毛、木炭粒，または、桧チップ等、１種以上を用いることができる。【手続補正書】
【提出日】平成16年2月9日(2004.2.9)
【手続補正１】
【補正対象書類名】特許請求の範囲
【補正対象項目名】全文
【補正方法】変更
【補正の内容】
【特許請求の範囲】【請求項１】使用者の頚部を支えるための主枕と頭部を支える副枕とからなり、主枕と副枕の併設が、２つの枕カバーを介して行われ、２つの枕カバーに縫い付けられた、数個の、紐通しの部分と、紐とによって、主枕と副枕が連結される機能性枕。なお、主枕と副枕に縫い付ける、紐通しの部分の数は、同じにする。また、主枕と副枕の充填材は、短筒形状を有する小塊状樹脂成形体、綿、ソバ殻、スポンジ、羽毛、木炭粒，または、桧チップ等、１種以上を用いることができる。【手続補正書】
【提出日】平成16年8月5日(2004.8.5)
【手続補正１】
【補正対象書類名】明細書
【補正対象項目名】全文
【補正方法】変更
【補正の内容】
【発明の詳細な説明】
【技術分野】
【０００１】枕に関する
【背景技術】
【０００２】  従来における枕の種類を大別すると、内部にソバ殻等が詰められた和風の枕と、内部にスポンジや羽毛等が詰められた大きい洋風の枕と、これら中間に位置する枕などに分けることができる。この他、竹片や籐片等を編んで作った通気性の高い夏用の枕も見られる。【０００３】  和風の枕は、内部にソバ殻が略ぎっしりと詰まっているために、使用者の頭部が沈まない適度な硬さと安定感があり、しかも、使用者の後首や頭部に心地よい適度の押圧感があることから、年齢を問わず多くの人に好まれている。これに対して洋風の枕は、後首や頭を含めた身体の上半身を軟らかな弾力をもって支え、ベッドに適していることから、特に若い人に好まれている。
【発明が解決しようとする課題】
【０００４】和風の枕は、殻の小さなソバ殻が大量に詰まっているために通気性に欠け、又、使用者の後頭部が広範にわたって枕に接する。また、洋風の枕は、和風の枕よりもさらに広範にわたって後頭部が枕に接し、例えば、夏の就寝時において、頭の広い部分で熱がこもったり、汗をかいたりするなど、頭が蒸れ易く、快適な睡眠と翌朝の爽快感が得られなかった。
【０００５】また、寝返りして横向きに寝る時は、肩幅に対して枕が低すぎる為、下になるほうの肩を、内側に折るようにして寝ることになる。
【０００６】  これらに対して、竹片や籐片を編んで作った夏用の枕は、通気性が極めて良いが、枕が硬く、常に一定の形状を維持しているために、頭が枕に馴染み難く、後首筋を痛めたり、寝返りをしたときに枕が頭から外れ易くなるなどの問題がある。
【課題を解決する為の手段】
【０００７】  前記目的を達成するために、本発明に係る機能性枕においては、主として使用者の頚部を支えるための主枕と、主として使用者の頭部を支える副枕からなることを特徴とするものである。主枕と副枕は、紐通しの部分と、紐によって連結する。
【０００８】  主枕は主として使用者の頚部、即ち、肩上辺りから後頭部隆起位置辺りまでを支えるためのものであることから、この主枕において、その奥行き、つまり前後幅は使用者の後首の長さ程度ないしそれより若干長い程度が好ましく、又、左右幅は使用者が枕として使用できる長さ、例えば、使用者の肩幅程度の長さが好ましく、更に、その高さは、使用者が心地よく枕として使用できる従来の枕と同程度の高さを有するものが好ましい。
【０００９】  副枕は、主として使用者の後頭部を支えるためのものであり、その奥行き（前後幅）や左右方向の長さ及び高さについては、やはり使用者の体格や好みに応じて適宜選択されるべきものであり、特に限定されるものではないが、一般的には、奥行きについては、主枕と同じ幅若しくはそれよりも若干短い幅とするのが好ましく、又、左右方向の長さについては、主枕の左右長さと同じものが好ましく、更に、その高さについては、主枕と略同じかあるいは若干低いものが好ましい。
【００１０】  主枕内と、副枕内には、枕用充填材が充填されるのであるが、副枕には、主枕に充填される枕用充填材と同じものを使用しても、異なるものを使用しても良いのであり、使用者の好みに応じた枕用充填材、例えば小塊状樹脂成形体、ソバ殻、スポンジ小片、羽毛、綿、羽毛、布切れ、木炭粒又は桧チップ等から選ばれた１又は複数種を併用することができる。
【００１１】また、横向きに寝る時は、肩がより自然な状態になるよう、主枕の上に副枕を載せて、高さを２倍近くにして使用することができる。
【発明の効果】
【００１２】  本発明に係る機能性枕においては、主枕と副枕との間において、使用者の後頭部や頚部の辺りが接する部分に隙間を設けてこの部分の通気性を著しく高めることができるようになる。この結果、頭部の蒸れや汗の滞留を防止して就寝中の不快感を解消し、特に、夏期において頚部や頭部及びその近傍を適度に冷却して、快適な睡眠が得られるなどの効果が得られるのである。
【００１３】  しかも、本発明の機能性枕においては、主枕と副枕に分離しているので、使用者が自己の好みに応じて、副枕を主枕の上に載せて使用することができる結果、高い枕が好みの人及び後首が凝った人にも好感をもって受け入れられるなどの効果を奏するのである。また、横向きに寝る時は、主枕の上に副枕を載せて、枕の高さを２倍近くにして、肩がより自然な状態で寝ることができる。
【図面の簡単な説明】
【００１４】
【図１】図１は、本発明の第１実施形態に係る機能性枕において主枕と副枕とを分離した状態で示す平面図である。
【図２】図２は、同じくその底面図である。
【図３】図３は、同じくその側面図である。
【図４】同じくその主枕と副枕の内部を取り出して示す斜視図である。
【図５】主枕に副枕を並設する手順その１を示す斜視図である。
【図６】主枕に副枕を並設する手順その２を示す斜視図である。
【図７】主枕に副枕を並設する手順その３を示す斜視図である。
【図８】本発明の第１実施形態の機能性枕を使用するときの形状を示す斜視図である。
【図９】本発明の第１実施形態の機能性枕を使用している状態を示す斜視図である。
【図１０】本発明の第１実施形態の機能性枕を使用している状態を簡略して示す側面断面図である。
【図１１】主枕上に副枕を、横向きに寝るように載置した状態で示す斜視図である。
【図１２】図１１の枕を反対側から見た図である。
【図１３】本発明の他の実施形態の機能性枕を使用している状態を示す図である。
【図１４】本発明の他の実施形態の機能性枕示す側面断面図である。
【図１５】本発明の第１実施形態の機能性枕のうちの主枕を使用している状態を簡略して示す側面断面図である。
【符号の説明】
【００１５】１Ａ        機能性枕
２          主枕
３          枕カバー
４          主枕本体
５          紐とおしの部分
６          紐
７          ファスナー
８          開口
５０        副枕
５１        枕カバー
５２        副枕本体
５３        ファスナー
５４        開口
Ｓ          隙間
【手続補正２】
【補正対象書類名】図面
【補正対象項目名】全図
【補正方法】変更
【補正の内容】
【図１】
2005058698.tif 000023
【図２】
2005058698.tif 000024
【図３】
2005058698.tif 000025
【図４】
2005058698.tif 000026
【図５】
2005058698.tif 000027
【図６】
2005058698.tif 000028
【図７】
2005058698.tif 000029
【図８】
2005058698.tif 000030
【図９】
2005058698.tif 000031
【図１０】
2005058698.tif 000032
【図１１】
2005058698.tif 000033
【図１２】
2005058698.tif 000034
【図１３】
2005058698.tif 000035
【図１４】
2005058698.tif 000036
【図１５】
2005058698.tif 000037